(57)【要約】【課題】節電要請に応じて指定された総削減量を削減しうる需要家を適切に自動選択する。【解決手段】需要家ＤＢ１４が、登録需要家Ｒのうちから選択した１つまたは複数の需要家の組み合わせからなるグループごとに、当該グループに属する需要家全体で担当する電力削減の目標値を記憶しておき、計算機１５において、需要家選択部１５Ｂが、節電要請で指定された総削減量との差が最も小さい目標値を有するグループを、需要家ＤＢ１４から要請先グループとして検索し、当該要請先グループに属する需要家のすべてを要請先需要家として選択し、要請指示部１５Ｃが、要請先需要家のそれぞれに対して消費電力の削減要請を行う。【選択図】  図１
2020188646.tif 000002
【特許請求の範囲】
【請求項１】
電力供給者からの節電要請に応じて要請先となる要請先需要家を、予め登録されている登録需要家のうちから選択し、当該要請先需要家に対して消費電力の削減要請を行う計算機と、
前記登録需要家のうちから選択した１つまたは複数の需要家の組み合わせからなるグループごとに、当該グループに属する需要家全体で担当する電力削減の目標値を記憶する需要家データベースとを備え、
前記計算機は、
前記節電要請で指定された総削減量との差が最も小さい目標値を有するグループを、前記需要家データベースから要請先グループとして検索し、当該要請先グループに属する需要家のすべてを前記要請先需要家として選択する需要家選択部と、
前記要請先需要家のそれぞれに対して消費電力の削減要請を行う要請指示部とを備える
ことを特徴とするデマンドレスポンスシステム。
【請求項２】
請求項１に記載のデマンドレスポンスシステムにおいて、
前記要請指示部は、前回の節電要請に応じて削減要請中である需要家のすべてに対して、前記削減要請を行う前に、前回行った削減要請のキャンセルを行うことを特徴とするデマンドレスポンスシステム。
【請求項３】
請求項１に記載のデマンドレスポンスシステムにおいて、
前記要請指示部は、前回の節電要請に応じて削減要請中である需要家のうち、前記要請先需要家として選択されなかった非選択の需要家のすべてに対して、前回行った削減要請のキャンセルを行うことを特徴とするデマンドレスポンスシステム。
【請求項４】
請求項１〜請求項３のいずれかに記載のデマンドレスポンスシステムにおいて、
前記需要家選択部は、前記総削減量以上であって、かつ、前記総削減量との差が最も小さい目標値を有するグループを、前記需要家データベースから前記要請先グループとして検索することを特徴とするデマンドレスポンスシステム。
【請求項５】
電力供給者からの節電要請に応じて要請先となる要請先需要家を、予め登録されている登録需要家のうちから選択し、当該要請先需要家に対して消費電力の削減要請を行う計算機と、前記登録需要家のうちから選択した１つまたは複数の需要家の組み合わせからなるグループごとに、当該グループに属する需要家全体で担当する電力削減の目標値を記憶する需要家データベースとを備えるデマンドレスポンスシステムで用いられる、デマンドレスポンス方法であって、
前記計算機が、前記節電要請で指定された総削減量との差が最も小さい目標値を有するグループを、前記需要家データベースから要請先グループとして検索し、当該要請先グループに属する需要家のすべてを前記要請先需要家として選択する需要家選択ステップと、
前記計算機が、前記要請先需要家のそれぞれに対して消費電力の削減要請を行う要請指示ステップと
を備えることを特徴とするデマンドレスポンス方法。
【請求項６】
請求項５に記載のデマンドレスポンス方法において、
前記計算機が、前回の節電要請に応じて削減要請中である需要家のすべてに対して、前記削減要請を行う前に、前回行った削減要請のキャンセルを行う要請キャンセルステップをさらに含むことを特徴とするデマンドレスポンス方法。
【請求項７】
請求項５に記載のデマンドレスポンス方法において、
前記計算機が、前回の節電要請に応じて削減要請中である需要家のうち、前記要請先需要家として選択されなかった非選択の需要家のすべてに対して、前回行った削減要請のキャンセルを行う要請キャンセルステップをさらに含むことを特徴とするデマンドレスポンス方法。
【請求項８】
請求項５〜請求項７のいずれかに記載のデマンドレスポンス方法において、
前記需要家選択ステップは、前記総削減量以上であって、かつ、前記総削減量との差が最も小さい目標値を有するグループを、前記需要家データベースから前記要請先グループとして検索するステップを含むことを特徴とするデマンドレスポンス方法。
【発明の詳細な説明】
【技術分野】
【０００１】
本発明は、電力供給者からの節電要請に応じて、複数の需要家のうちから要請先となる要請先需要家を選択し、消費電力の削減要請を指示するためのデマンドレスポンス技術に関する。
【背景技術】
【０００２】
電力を消費する設備の稼働が集中する等の理由で、消費電力量が一時的に上昇して、電力供給が逼迫した状況になると、電力供給者からの電力供給量が不足する事態となることを避けるために、電力供給者側から、消費電力量の調整を求めるデマンド制御の要求、すなわち節電要請を行うことが提案されている（例えば、特許文献１など参照）。一般には、特許文献１に開示されているように、電力供給者側からの節電要請に応じて需要家が電力の使用を抑制するよう電力消費パターンを変化させることを、デマンドレスポンス（Demand Response：需要応答）という。
【先行技術文献】
【特許文献】
【０００３】
【特許文献１】国際公開ＷＯ２０１６／１８６０８１
【発明の概要】
【発明が解決しようとする課題】
【０００４】
電力会社などの電力供給者からの節電要請に応じて、個々の需要家側で削減できる電力消費量は、ある程度限られている。このため、電力供給者と需要家との間に位置するアグリゲータ（Aggregator）が、予め登録されている複数の登録需要家の電力需要を束ねて管理し、デマンドレスポンスにおいて、電力供給者からの節電要請をこれら登録需要家に割り振るサービスが提供されつつある。これにより、効率よくデマンドレスポンスを実施できるとともに、より規模の大きいデマンドレスポンスを実現することができる。
【０００５】
通常、電力供給者からの節電要請で指定される総削減量（ネガワット）は、電力の需給状況により変化するとともに、実際の節電要請のタイミングも不定期であり、短時間で総削減量が変化する場合もある。したがって、節電要請があった時点からなるべく早期に、登録需要家のうちから、節電対象となる要請先需要家を適切に選択して削減要請を指示する必要がある。
【０００６】
しかしながら、アグリゲータにおいて、電力供給者からの節電要請にオペレータが手動で対応する方式の場合、オペレータが常駐して、節電要請があった時点からなるべく早期に、要請先需要家を適切に選択して削減要請を指示することになる。このため、アグリゲータにおけるオペレータの作業負担が大きくなり、サービスコストが増大するという問題点があった。
【０００７】
本発明はこのような課題を解決するためのものであり、節電要請に応じて指定された総削減量を削減しうる需要家を適切に自動選択できるデマンドレスポンス技術を提供することを目的としている。
【課題を解決するための手段】
【０００８】
このような目的を達成するために、本発明にかかるデマンドレスポンスシステムは、電力供給者からの節電要請に応じて要請先となる要請先需要家を、予め登録されている登録需要家のうちから選択し、当該要請先需要家に対して消費電力の削減要請を行う計算機と、前記登録需要家のうちから選択した１つまたは複数の需要家の組み合わせからなるグループごとに、当該グループに属する需要家全体で担当する電力削減の目標値を記憶する需要家データベースとを備え、前記計算機は、前記節電要請で指定された総削減量との差が最も小さい目標値を有するグループを、前記需要家データベースから要請先グループとして検索し、当該要請先グループに属する需要家のすべてを前記要請先需要家として選択する需要家選択部と、前記要請先需要家のそれぞれに対して消費電力の削減要請を行う要請指示部とを備えている。
【０００９】
また、本発明にかかる上記デマンドレスポンスシステムの一構成例は、前記要請指示部が、前回の節電要請に応じて削減要請中である需要家のすべてに対して、前記削減要請を行う前に、前回行った削減要請のキャンセルを行うようにしたものである。
【００１０】
また、本発明にかかる上記デマンドレスポンスシステムの一構成例は、前記要請指示部が、前回の節電要請に応じて削減要請中である需要家のうち、前記要請先需要家として選択されなかった非選択の需要家のすべてに対して、前回行った削減要請のキャンセルを行うようにしたものである。
【００１１】
また、本発明にかかる上記デマンドレスポンスシステムの一構成例は、前記需要家選択部が、前記総削減量以上であって、かつ、前記総削減量との差が最も小さい目標値を有するグループを、前記需要家データベースから前記要請先グループとして検索するようにしたものである。
【００１２】
また、本発明にかかるデマンドレスポンス方法は、電力供給者からの節電要請に応じて要請先となる要請先需要家を、予め登録されている登録需要家のうちから選択し、当該要請先需要家に対して消費電力の削減要請を行う計算機と、前記登録需要家のうちから選択した１つまたは複数の需要家の組み合わせからなるグループごとに、当該グループに属する需要家全体で担当する電力削減の目標値を記憶する需要家データベースとを備えるデマンドレスポンスシステムで用いられる、デマンドレスポンス方法であって、前記計算機が、前記節電要請で指定された総削減量との差が最も小さい目標値を有するグループを、前記需要家データベースから要請先グループとして検索し、当該要請先グループに属する需要家のすべてを前記要請先需要家として選択する需要家選択ステップと、前記計算機が、前記要請先需要家のそれぞれに対して消費電力の削減要請を行う要請指示ステップとを備えている。
【００１３】
また、本発明にかかる上記デマンドレスポンス方法の一構成例は、前記計算機が、前回の節電要請に応じて削減要請中である需要家のすべてに対して、前記削減要請を行う前に、前回行った削減要請のキャンセルを行う要請キャンセルステップをさらに含むものである。
【００１４】
また、本発明にかかる上記デマンドレスポンス方法の一構成例は、前記計算機が、前回の節電要請に応じて削減要請中である需要家のうち、前記要請先需要家として選択されなかった非選択の需要家のすべてに対して、前回行った削減要請のキャンセルを行う要請キャンセルステップをさらに含むものである。
【００１５】
また、本発明にかかる上記デマンドレスポンス方法の一構成例は、前記需要家選択ステップは、前記総削減量以上であって、かつ、前記総削減量との差が最も小さい目標値を有するグループを、前記需要家データベースから前記要請先グループとして検索するステップを含むものである。
【発明の効果】
【００１６】
本発明によれば、登録需要家の組み合わせからなる各グループが、電力削減の目標値と対応付けられて、需要家データベースに予め設定されているため、電力供給者からの節電要請に応じて、指定された総削減量に近しい目標値を持つグループを選択するだけで、指定された総削減量を削減しうる需要家を要請先需要家として、一括して適切に自動選択することが可能となる。したがって、アグリゲータにおいて、電力供給者からの節電要請にオペレータが手動で対応する方式と比較した場合、本発明によれば、オペレータを常駐させる必要はなく、節電要請があった時点から極めて短い時間で、要請先需要家を適切に選択して削減要請を指示することができ、オペレータの作業負担を大幅に削減でき、サービスコストの増大を抑制することが可能となる。
【図面の簡単な説明】
【００１７】
【図１】図１は、デマンドレスポンスシステムの構成を示すブロック図である。
【図２】図２は、需要家データベースにおけるグループデータの登録例を示す説明図である。
【図３】図３は、需要家データベースにおける需要家データの登録例を示す説明図である。
【図４】図４は、デマンドレスポンス処理を示すフローチャートである。
【図５】図５は、デマンドレスポンス動作例を示すシーケンス図である。
【発明を実施するための形態】
【００１８】
次に、本発明の一実施の形態について図面を参照して説明する。
［デマンドレスポンスシステム］
まず、図１を参照して、本実施の形態にかかるデマンドレスポンスシステム１０について説明する。図１は、デマンドレスポンスシステムの構成を示すブロック図である。
図１に示すように、このデマンドレスポンスシステム１０は、電力供給者Ｐと登録需要家Ｒとの間に設けられたアグリゲータとして動作し、電力供給者Ｐからの節電要請に応じて、登録需要家Ｒのうちから要請先となる要請先需要家を選択し、消費電力の削減要請を指示する計算機システムである。
【００１９】
以下では、電力供給者Ｐとのデマンドレスポンスに応じる登録需要家Ｒとして、３つの需要家Ａ，Ｂ，Ｃが契約などにより予め登録されている場合を例として説明する。登録需要家Ｒの数については、３に限定されるものではなく、２以上であれば以下と同様にして本発明を適用できる。
【００２０】
デマンドレスポンスシステム１０は、主な構成として、通信装置１１、操作入力装置１２、画面表示装置１３、需要家データベース１４、および計算機１５を備えている。これら装置については、通信回線を介して接続された個別の装置であってもよく、これらのうちの複数あるいは全部が、サーバーなどの１つの装置にまとめて実装されていてもよい。
【００２１】
通信装置１１は、通信回線Ｌおよび通信網ＮＷを介して電力供給者Ｐや登録需要家Ｒとの間でデータ通信を行う機能を有している。
操作入力装置１２は、キーボード、マウス、タッチパネルなどの操作入力装置からなり、オペレータの操作を検出して計算機１５へ出力する機能を有している。
画面表示装置１３は、ＬＣＤなどの画面表示装置からなり、計算機１５から出力された、メニュー画面、設定画面、電力消費トレンド画面、デマンドレスポンス処理状況画面などの各種画面を画面表示する機能を有している。
【００２２】
需要家データベース（以下、需要家ＤＢという）１４は、ハードディスクなどの記憶装置からなり、登録需要家Ｒのうちから選択した１つまたは複数の需要家の組み合わせからなるグループごとに、当該グループに属する需要家全体で担当する電力削減の目標値を記憶する機能と、登録需要家Ｒごとに、当該登録需要家Ｒで削減できる個別削減量を記憶する機能とを有している。
【００２３】
図２は、需要家データベースにおけるグループデータの登録例を示す説明図である。図２の例では、グループごとに、当該グループに属する需要家の組み合わせと、当該グループに属する需要家全体で担当する電力削減の目標値とが登録されている。例えば、グループ１は、需要家Ｃのみからなり、目標値は１２０ｋＷである。またグループ２は、需要家Ａと需要家Ｂとの組み合わせからなり、目標値は１８０ｋＷである。これらグループは、それぞれの目標値が、電力供給者Ｐからの節電要請で指定される削減量の範囲に対応できるよう、予め登録構成されている。
【００２４】
図３は、需要家データベースにおける需要家データの登録例を示す説明図である。図２の例では、需要家Ａ，Ｂ，Ｃごとに、当該需要家が単独で削減できる個別削減量が登録されている。例えば、需要家Ａの個別削減量は１００ｋＷである。また需要家Ｂの個別削減量は８０ｋＷであり、需要家Ｃの個別削減量は１２０ｋＷである。
【００２５】
計算機１５は、ＣＰＵとその周辺回路を有するコンピュータからなり、ＣＰＵとプログラムとを協働させて各種処理部を実現することにより、電力供給者Ｐからの節電要請に応じて要請先となる要請先需要家を、予め登録されている登録需要家Ｒのうちから選択し、当該要請先需要家に対して消費電力の削減要請を行う装置である。
計算機１５は、主な処理部として、要請取得部１５Ａ、需要家選択部１５Ｂ、および要請指示部１５Ｃを備えている。
【００２６】
要請取得部１５Ａは、通信網ＮＷおよび通信回線Ｌを介して通信装置１１で受信した、電力供給者Ｐからの節電要請から、当該節電要請で指定された最新の総削減量を取得する機能を有している。
【００２７】
需要家選択部１５Ｂは、要請取得部１５Ａで取得した節電要請で指定された総削減量と、最も近しい目標値を有するグループ、すなわち、総削減量との差（絶対値）が最も小さいグループを、需要家ＤＢ１４から要請先グループとして検索する機能と、得られた要請先グループに属する需要家のすべてを要請先需要家として選択する機能とを有している。
この際、需要家選択部１５Ｂは、総削減量以上であって、かつ、総削減量との差が最も小さい目標値を有するグループを、需要家ＤＢ１４から要請先グループとして検索するようにしてもよい。
【００２８】
要請指示部１５Ｃは、需要家選択部１５Ｂで選択した要請先需要家ごとに、通信装置１１から通信回線Ｌおよび通信網ＮＷを介して、削減要請を送信することにより、要請先需要家のそれぞれに対して消費電力の削減要請を行う機能と、前回の節電要請で削減要請した需要家に対して前回の削減要請のキャンセルを指示する機能とを有している。
【００２９】
［本実施の形態の動作］
次に、図４を参照して、本実施の形態にかかるデマンドレスポンスシステム１０の動作について説明する。図４は、デマンドレスポンス処理を示すフローチャートである。
計算機１５は、電力供給者Ｐからの節電要請に応じて、図４のデマンドレスポンス処理を実行する。
【００３０】
まず、要請取得部１５Ａは、電力供給者Ｐからの節電要請から、当該節電要請で指定された最新の総削減量を取得する（ステップＳ１００）。
【００３１】
次に、需要家選択部１５Ｂは、需要家ＤＢ１４にアクセスして、要請取得部１５Ａで取得した総削減量との差が最も小さい目標値を有するグループを、要請先グループとして検索し（ステップＳ１０１）、得られた要請先グループに属する需要家のすべてを要請先需要家として選択する（ステップＳ１０２）。
【００３２】
続いて、要請指示部１５Ｃは、前回の要請先需要家のうち、ステップＳ１０２で新たに要請先需要家として選択されなかった非選択の前回要請先需要家に、要請キャンセルを送信することにより、前回の削減要請のキャンセルを指示した後（ステップＳ１０３）、新たな要請先需要家のそれぞれに、通信装置１１から通信回線Ｌおよび通信網ＮＷを介して、新たに生成した削減要請を送信することにより、新たな消費電力の削減要請を行い（ステップＳ１０４）、一連のデマンドレスポンス処理を終了する。これにより、各要請先需要家では、デマンドレスポンスシステム１０からの削減要請に応じて、予め申請しておいた削減可能量だけ自己の消費電力を削減する。
【００３３】
図４では、各要請先需要家が、削減要請に応じて、予め申請しておいた削減可能量だけ自己の消費電力を削減する場合を例として説明したが、個々の削減要請で各要請先需要家の削減量を指定するようにしてもよい。この際、要請先需要家の削減可能量については、需要家選択部１５Ｂが、要請先グループの検索結果とともに、要請先需要家ごとに需要家ＤＢ１４から取得してもよい。また、要請指示部１５Ｃが、別途、要請先需要家ごとに需要家ＤＢ１４から取得してもよく、あるいは、電力供給者Ｐからの節電要請を受信する前に、各登録需要家Ｒの削減可能量を需要家ＤＢ１４から取得しておき、これら削減可能量を要請指示部１５Ｃが利用するようにしてもよい。
【００３４】
また、前回送信した削減要請に関する要請キャンセルについては、ステップＳ１０４で新たな削減要請を送信する前に、前回の要請先需要家に対して送信すればよい。この際、前回の要請先需要家のすべてに要請キャンセルを送信してもよいが、前回の要請先需要家が新たな要請先需要家として選択されている場合、その後に新たな削減要請が送信されるため、要請キャンセルの送信を省くことができる。
【００３５】
したがって、要請指示部１５Ｃが、前回削減要請した需要家のうち、新たな要請先需要家として選択されなかった非選択の需要家のすべてに対して、前回行った削減要請のキャンセルを行うようにしてもよい。この際、非選択の需要家に対する要請キャンセルは、新たな削減要請と同時あるいはそれ以降に送信してもよい。
また、前回の要請先グループと新たな要請先グループとが一致している場合や、前回の総削減量が新たな総削減量と等しい場合には、要請先需要家に変化がないため、すべての要請先需要家に対する要請キャンセルの送信を省くようにしてもよい。
【００３６】
［本実施の形態の動作例］
次に、図５を参照して、本実施の形態にかかるデマンドレスポンスシステム１０の動作例について説明する。図５は、デマンドレスポンス動作例を示すシーケンス図である。なお、需要家ＤＢ１４には、前述の図２に示したグループデータや図３に示した需要家データが、予め登録されているものとする。以下では、電力供給者Ｐから節電要請を受信した時点において、需要家Ｃが前回要請先需要家として選択されており、消費電力の削減中であるものとする。
【００３７】
計算機１５は、電力供給者Ｐから節電要請を受信した場合（ステップＳ１１０）、当該節電要請で指定された総削減量を目標値とした検索要求を需要家ＤＢ１４に通知する（ステップＳ１１１）。ここで、総削減量として１８０ｋＷが指定されていることから、図２のグループデータから、目標値が１８０ｋＷであるグループ２が、検索結果として需要家ＤＢ１４から返送される（ステップＳ１１２）。
【００３８】
計算機１５は、得られたグループ２を要請先グループとして選択し、グループ２に属する需要家Ａ，Ｂを要請先需要家として選択する（ステップＳ１１３）。
ここで、前回要請先需要家が需要家Ｃであった場合、新たな要請先需要家である需要家Ａ，Ｂとは異なるため、計算機１５は、需要家Ｃに対して要請キャンセルを送信する（ステップＳ１１４）。これにより、需要家Ｃにおいて、それまで実施していた前回の削減要請がキャンセルされて、消費電力の削減が停止される。
【００３９】
この後、計算機１５は、これら需要家Ａ，Ｂに対して削減要請を送信する（ステップＳ１１５）。これにより、需要家Ａで１００ｋＷ分の消費電力の削減が開始されるとともに、需要家Ｂで８０ｋＷ分の消費電力の削減が開始されることになり、節電要請で指定された総削減量１８０ｋＷ分の節電が実施されることになる。
【００４０】
［本実施の形態の効果］
このように、本実施の形態は、需要家ＤＢ１４が、登録需要家Ｒのうちから選択した１つまたは複数の需要家の組み合わせからなるグループごとに、当該グループに属する需要家全体で担当する電力削減の目標値を記憶しておき、計算機１５において、需要家選択部１５Ｂが、節電要請で指定された総削減量との差が最も小さい目標値を有するグループを、需要家ＤＢ１４から要請先グループとして検索し、当該要請先グループに属する需要家のすべてを要請先需要家として選択し、要請指示部１５Ｃが、要請先需要家のそれぞれに対して消費電力の削減要請を行うようにしたものである。
【００４１】
これにより、登録需要家Ｒの組み合わせからなる各グループが、電力削減の目標値と対応付けられて、需要家ＤＢ１４に予め設定されているため、電力供給者Ｐからの節電要請に応じて、指定された総削減量に近しい目標値を持つグループを選択するだけで、指定された総削減量を削減しうる需要家を要請先需要家として、一括して適切に自動選択することが可能となる。
【００４２】
したがって、アグリゲータにおいて、電力供給者からの節電要請にオペレータが手動で対応する方式と比較した場合、本発明によれば、オペレータを常駐させる必要はなく、節電要請があった時点から極めて短い時間で、要請先需要家を適切に選択して削減要請を指示することができ、オペレータの作業負担を大幅に削減でき、サービスコストの増大を抑制することが可能となる。
【００４３】
また、本実施の形態において、要請指示部１５Ｃが、前回の節電要請に応じて削減要請中である需要家のすべてに対して、削減要請を行う前に、前回行った削減要請のキャンセルを行うようにしてもよい。これにより、前回の節電要請に応じて削減要請した電力削減を一旦リセットした後、新たな要請先需要家で削減要請した電力削減を開始することができる。したがって、電力供給者からの節電要請に応じた適切な電力削減を実現することができる。
【００４４】
また、本実施の形態において、要請指示部は、前回の節電要請に応じて削減要請中である需要家のうち、新たに要請先需要家として選択されなかった非選択の需要家に対して、前回行った削減要請のキャンセルを行うようにしてもよい。これにより、継続して電力削減が必要となる需要家に対して削減要請のキャンセルが行われなくなるため、設備の稼働停止と再稼働を短い期間で実行する必要がなくなり、設備への負担を緩和することができる。
【００４５】
また、本実施の形態において、需要家選択部１５Ｂが、総削減量以上であって、かつ、総削減量との差が最も小さい目標値を有するグループを、需要家ＤＢ１４から要請先グループとして検索するようにしてもよい。これにより、節電要請で指定された総削減量を満足しうる要請先需要家を適切に選択することが可能となる。
【００４６】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【００４７】
前述した実施の形態において、需要家ＤＢ１４に登録されるグループとして、同レベルの目標値を有する複数のグループが登録される場合が考えられる。この際、電力供給者からの節電要請に応じて、同レベルの目標値を有するグループのうちから、いずれか１を要請先グループとして選択する必要がある。
【００４８】
このような場合には、需要家選択部１５Ｂにおいて、同レベルの目標値を有するグループごとに、当該グループに属する需要家と、直前の節電要請に応じて選択中の要請先需要家とを比較して、選択中の要請先需要家と一致している需要家をより多く含むグループを要請先グループとして選択するようにしてもよい。この際、目標値が同レベルの範囲に含まれるか否かについては、例えば、節電要請で指定された総削減量を基準とした一定の許容幅の範囲内を、同レベル範囲と設定すればよい。
【００４９】
これにより、直前の節電要請に応じて選択中の要請先需要家と一致している需要家が、新たな要請先需要家として選択されることになる。このため、新たな要請先需要家のうちの多くで、消費電力の削減を継続することができる。
デマンドレスポンスシステム１０からの削減要請に応じて要請先需要家が消費電力を削減する場合、実際には稼働中の設備を一時停止させることになり、削減要請が終了した時点で当該装置を再起動することになる。しかしながら、起動・停止の際、設備に少なからず一時的な負荷が発生するため、需要家の負担となる。
【００５０】
前述したように、同レベルの目標値を有する複数のグループが登録される場合には、選択中の要請先需要家と一致している需要家をより多く含むグループを要請先グループとして選択することにより、新たな要請先需要家のうちの多くで、消費電力の削減を継続することができる。このため、需要家における設備の起動・停止の回数を削減することができ、需要家の負担を軽減することができ、より良いデマンドレスポンスサービスを提供することが可能となる。
【００５１】
なお、電力供給者からの節電要請で指定された総削減量に近しい目標値を持つグループとして、どの程度の範囲を同レベルの目標値とするかについては、節電要請で指定される総削減量の変動幅、登録需要家Ｒの数、各登録需要家Ｒの削減可能量などに基づいて、経験的に決定すればよい。
【符号の説明】
【００５２】
１０…デマンドレスポンスシステム、１１…通信装置、１２…操作入力装置、１３…画面表示装置、１４…需要家ＤＢ（需要家データベース）、１５…計算機、１５Ａ…要請取得部、１５Ｂ…需要家選択部、１５Ｃ…要請指示部、Ｐ…電力供給者、Ｒ…登録需要家、Ａ，Ｂ，Ｃ…需要家、Ｌ…通信回線、ＮＷ…通信網。
【図１】
2020188646.tif 000003
【図２】
2020188646.tif 000004
【図３】
2020188646.tif 000005
【図４】
2020188646.tif 000006
【図５】
2020188646.tif 000007